(57)【要約】【課題】  複数のレンタル業者がそれぞれ所有する車両等のレンタルを支援するために用いることができる車両レンタル支援プログラム、車両レンタル支援システム、建設機械レンタル支援プログラム及び建設機械レンタル支援システムを提供することを課題とする。【解決手段】  本車両レンタル支援プログラム及び車両レンタル支援システムは、複数のレンタル業者が所有する空き車両の情報を蓄積する空き車両データベース１２１と、レンタル利用者が入力したレンタル車両の希望条件に該当する該空き車両を、該空き車両データベースから検索し、得られた検索結果一覧をレンタル利用者に出力する検索手段１１１と、該検索結果一覧上の該当空き車両を所有する該レンタル業者へ通知する検索通知手段１１２と、を備えることを特徴とする。【選択図】  図１
2006011877.tif 000002
【特許請求の範囲】
【請求項１】
複数のレンタル業者が所有する空き車両の情報を蓄積する空き車両データベース１２１と、
レンタル利用者が入力したレンタル車両の希望条件に該当する該空き車両を、該空き車両データベースから検索し、得られた検索結果一覧をレンタル利用者に出力する検索手段１１１と、
該検索結果一覧上の該当空き車両を所有する該レンタル業者へ通知する検索通知手段１１２と、を備えることを特徴とする車両レンタル支援プログラム。
【請求項２】
上記車両は、重機である請求項１記載の車両レンタル支援プログラム。
【請求項３】
重機の仕様を登録する重機仕様データベース１２２と、上記検索結果一覧に含まれる該当重機の仕様を該重機仕様データベース１２２から取得して出力する重機仕様出力手段１１３とを更に備える請求項２記載の車両レンタル支援プログラム。
【請求項４】
上記空き車両情報は、該空き車両の運転員の派遣可能情報を更に含む請求項２又は３記載の車両レンタル支援プログラム。
【請求項５】
請求項１乃至４のいずれか一項に記載の車両レンタル支援プログラム１１を実行するサーバコンピュータ１を備え、該車両レンタル支援プログラム１１は、通信回線３を介してレンタル利用者の端末２が入力したレンタル車両の希望条件を受け付け、得られた検索結果一覧を該端末２へ該通信回線３を介して出力することを特徴とする車両レンタル支援システム。
【請求項６】
複数のレンタル業者が所有する空き建設機械の情報を蓄積する空き建設機械データベースと、
レンタル利用者が入力したレンタル建設機械の希望条件に該当する該空き建設機械を、該空き建設機械データベースから検索し、得られた検索結果一覧をレンタル利用者に出力する検索手段と、
該検索結果一覧上の該当空き建設機械を所有する該レンタル業者へ通知する検索通知手段と、を備えることを特徴とする建設機械レンタル支援プログラム。
【請求項７】
請求項６に記載の建設機械レンタル支援プログラムを実行するサーバコンピュータを備え、該建設機械レンタル支援プログラムは、通信回線３を介してレンタル利用者の端末２が入力したレンタル建設機械の希望条件を受け付け、得られた検索結果一覧を該端末２へ該通信回線３を介して出力することを特徴とする建設機械レンタル支援システム。
【発明の詳細な説明】
【技術分野】
【０００１】
本発明は、複数のレンタル業者がそれぞれ所有する車両等のレンタルを支援するために用いられる車両レンタル支援プログラム、車両レンタル支援システム、建設機械レンタル支援プログラム及び建設機械レンタル支援システムに関する。本車両レンタル支援プログラム及び車両レンタル支援システムは、車両、特にクレーン等の重機のレンタル業務に用いることができる。また、本建設機械レンタル支援プログラム及び建設機械レンタル支援システムは、コンプレッサ、発電機及びポンプ等の建設機械のレンタル業務に用いることができる。
【背景技術】
【０００２】
重機等の車両や建設機械等のレンタルは、レンタル利用者が何カ所かのレンタル業者に問い合わせてレンタルの契約を行うことが多い。このため、レンタル利用者にとって車両を利用するまでに必要な時間と手間が掛かり、これを軽減する手段が望まれていた。
このようなレンタル方法として、複数のレンタカー業者からレンタカーを予約する方法が知られている（例えば、特許文献１を参照。）。
【０００３】
【特許文献１】特開２００２−６３５１３号公報（第７頁）
【発明の開示】
【発明が解決しようとする課題】
【０００４】
しかし、車両等のレンタルを行う場合は、レンタル可能な場所や車種等の細かな条件の交渉を行ってからレンタル契約することもあるため、オンラインのみで契約を行うには適さない場合があった。
本発明は、このような問題点を解決するものであり、複数のレンタル業者がそれぞれ所有する車両等のレンタルを支援するために用いることができる車両レンタル支援プログラム、車両レンタル支援システム、建設機械レンタル支援プログラム及び建設機械レンタル支援システムを提供することを目的とする。
【課題を解決するための手段】
【０００５】
本発明の車両レンタル支援プログラム、車両レンタル支援システム、建設機械レンタル支援プログラム及び建設機械レンタル支援システムは、以下の通りである。
１．複数のレンタル業者が所有する空き車両の情報を蓄積する空き車両データベース１２１と、レンタル利用者が入力したレンタル車両の希望条件に該当する該空き車両を、該空き車両データベースから検索し、得られた検索結果一覧をレンタル利用者に出力する検索手段１１１と、該検索結果一覧上の該当空き車両を所有する該レンタル業者へ通知する検索通知手段１１２と、を備えることを特徴とする車両レンタル支援プログラム。
２．上記車両は、重機である上記１．記載の車両レンタル支援プログラム。
３．重機仕様データベース１２２と、上記検索結果一覧に含まれる該当重機の仕様を該重機仕様データベース１２２から取得して出力する重機仕様出力手段１１３とを更に備える上記２．記載の車両レンタル支援プログラム。
４．上記空き車両情報は、該空き車両の運転員の派遣可能情報を更に含む上記２．又は上記３．記載の車両レンタル支援プログラム。
５．上記１．乃至上記４．のいずれかに記載の車両レンタル支援プログラム１１を実行するサーバコンピュータ１を備え、該車両レンタル支援プログラム１１は、通信回線３を介してレンタル利用者の端末２が入力したレンタル車両の希望条件を受け付け、得られた検索結果一覧を該端末２へ該通信回線３を介して出力することを特徴とする車両レンタル支援システム。
６．複数のレンタル業者が所有する空き建設機械の情報を蓄積する空き建設機械データベースと、レンタル利用者が入力したレンタル建設機械の希望条件に該当する該空き建設機械を、該空き建設機械データベースから検索し、得られた検索結果一覧をレンタル利用者に出力する検索手段と、該検索結果一覧上の該当空き建設機械を所有する該レンタル業者へ通知する検索通知手段と、を備えることを特徴とする建設機械レンタル支援プログラム。
７．上記６．に記載の建設機械レンタル支援プログラムを実行するサーバコンピュータを備え、該建設機械レンタル支援プログラムは、通信回線３を介してレンタル利用者の端末２が入力したレンタル建設機械の希望条件を受け付け、得られた検索結果一覧を該端末２へ該通信回線３を介して出力することを特徴とする建設機械レンタル支援システム。
【発明の効果】
【０００６】
本発明の車両レンタル支援プログラム及び車両レンタル支援システムによれば、レンタル利用者の希望条件に該当する各レンタル業者の車両一覧を検索出力することができるため、各々のレンタル業者にレンタル利用者が問い合わせる手間を減らすことができる。また、検索一覧に挙げられた車両を所有するレンタル業者に通知を行うため、実際に問い合わせが来る前に準備を行うことができ、その後の相談や契約に必要とする手間を減らすことができる。
レンタルを行う車両が重機である場合は、本車両レンタル支援プログラム及び車両レンタル支援システムに適している。
重機仕様データベースを備える場合は、必要な性能を備える車両が容易に分かるようにすることができる。
運転員の派遣可能情報を更に含む場合は、レンタル利用者が重機を運転する運転員が必要な場合でも容易に運転員を確保することができる。
建設機械レンタル支援プログラム及び建設機械レンタル支援システムによれば、レンタル利用者の希望条件に該当する各レンタル業者の車両一覧を検索出力することができるため、各々のレンタル業者にレンタル利用者が問い合わせる手間を減らすことができる。また、検索一覧に挙げられた車両を所有するレンタル業者に通知を行うため、実際に問い合わせが来る前に準備を行うことができ、その後の相談や契約に必要とする手間を減らすことができる。
【発明を実施するための最良の形態】
【０００７】
以下、図１〜図１１を用いて本発明である車両レンタル支援プログラム、車両レンタル支援システム、建設機械レンタル支援プログラム及び建設機械レンタル支援システムの実施の形態を説明する。
本車両レンタル支援プログラム及び車両レンタル支援システムは、任意の車両のレンタルに用いることができるが、重機のレンタルに好適に用いることができる。また、レンタルを行う車両の条件は、例えば、重機を借りる場合、重機の種類（ラフタークレーン及びトラッククレーン、ダンプカー、生コンクリート車、生コンクリートポンプ車等を例示することができる）、その重機が扱える能力（クレーンの場合は、つり上げ性能）及び重機を借りることができる場所を条件に含むことが好ましい。
また、レンタル対象の車両は、それぞれを異なるレンタル業者によって管理することができる。
【０００８】
上記「空き車両情報」は、レンタル業務に必要な任意の項目を備えることができ、例えば、所有レンタル業者名、車両型番、車両メーカ、車両番号、排ガス規制情報、車検登録日、有効車検日、自己賠償責任保険期日、任意賠償責任保険期日、空き情報等の項目を備えることができる。また、空き車両情報は、これらの項目に限られず任意の項目を備えることができる。例えば、レンタル車両が、トラッククレーン及びラフタークレーン等のクレーンを備える車両である場合、最大吊り荷重、及びクレーン車検期日等を含めることができる。更に、レンタルする車両の運転員の派遣可能情報を更に含むことができる。また、上記「希望条件」は、空き車両情報に含まれる任意の項目を条件とすることができる。
上記「検索通知手段」は、レンタル業者に通知が行えることができる手段であれば良く、電子メール、インスタントメッセージ、電話（例えば音声合成を用いて通知することができる）、ファクシミリ等を例示することができる。また、通知する内容も任意に選択することができるが、通常、検索結果に含まれる重機の情報、レンタル利用者に関する情報（例えば名前及び電話番号を挙げることができる。）を通知することができる。
上記「重機の仕様」は、レンタル利用者がレンタルを希望する重機を選択するために用いられる仕様である。この仕様は、メーカ、型式、最大長、全長、全幅、全高、吊り荷重、クレーン張り出し時の定格総荷重、及びクレーン張り出し時の作業半径等、任意の項目を備えることができる。
上記「派遣可能情報」は、レンタル対象の重機を運転することができる運転員を派遣できるか否かを表す情報である。
【０００９】
本建設機械レンタル支援プログラム及び建設機械レンタル支援システムは、任意の建設機械のレンタルに用いることができる。この建設機械として、コンプレッサ、発電機及びポンプ等の建設作業に用いる機械を例示することができる。また、照明器具、工事標識及び簡易トイレ等の建設作業に付随して用いられる機器を含めることができる。
また、レンタル対象の建設機械は、それぞれを異なるレンタル業者によって管理することができる。
【００１０】
上記「空き建設機械情報」は、レンタル業務に必要な任意の項目を備えることができ、例えば、所有レンタル業者名、建設機械型番、建設機械メーカ、建設機械番号、排ガス規制情報、空き情報等の項目を備えることができる。また、空き建設機械情報は、これらの項目に限られず任意の項目を備えることができる。例えば、レンタル建設機械が、コンプレッサである場合、吐出圧力及び吐出空気量等を含めることができる。更に、レンタルする建設機械の運転員の派遣可能情報を更に含むことができる。また、上記「希望条件」は、空き建設機械情報に含まれる任意の項目を条件とすることができる。
上記「検索通知手段」は、レンタル業者に通知が行えることができる手段であれば良く、電子メール、インスタントメッセージ、電話（例えば音声合成を用いて通知することができる）、ファクシミリ等を例示することができる。また、通知する内容も任意に選択することができるが、通常、検索結果に含まれる重機の情報、レンタル利用者に関する情報（例えば名前及び電話番号を挙げることができる。）を通知することができる。
【００１１】
また、本建設機械レンタル支援プログラム及び建設機械レンタル支援システムは、建設機械の仕様を登録する建設機械データベースと、上記検索結果一覧に含まれる該当建設機械の仕様を該建設機械データベースから取得して出力する建設機械仕様出力手段とを更に備えることができる。
上記「建設機械の仕様」は、レンタル利用者がレンタルを希望する建設機械を選択するために用いられる仕様である。この仕様は、メーカ、型式、大きさ及び作業性能等の任意の項目を備えることができる。
【００１２】
尚、本レンタル支援プログラム及びレンタル支援システムは、車両及び建設機械のレンタルに限られず、クレーン運転員、左官、ユンポオペレータ及び大工等の技能者派遣支援プログラム及び技能者派遣支援システムとして用いることができる。
例えば、複数の派遣業者が管理する技能者の情報を蓄積する技能者データベースと、派遣利用者が入力した派遣技能者の希望条件に該当する該技能者を、該技能者データベースから検索し、得られた検索結果一覧を派遣利用者に出力する検索手段と、該検索結果一覧上の該当技能者を管理する該派遣業者へ通知する検索通知手段と、を備えることを特徴とする技能者派遣支援プログラムとすることができる。
また、上記技能者派遣支援プログラムを実行するサーバコンピュータを備え、該技能者派遣支援プログラムは、通信回線を介して派遣利用者の端末が入力した派遣技能者の希望条件を受け付け、得られた検索結果一覧を該端末へ該通信回線を介して出力することを特徴とする技能者派遣支援システムとすることができる。
【実施例１】
【００１３】
本実施例１の車両レンタル支援システムは、重機であるトラッククレーン及びラフタークレーンのレンタル業務を支援するためのシステムであり、図１に示すように、通信回線３を介して端末２及びレンタル業者端末４、を接続することができるサーバコンピュータ１から構成される。また、図１では、端末２及びレンタル業者端末４はそれぞれ１台のみ接続されているがこれに限られず、それぞれ任意の複数台数を接続することができる。
【００１４】
（１）サーバコンピュータ
サーバコンピュータ１は、市販されているサーバコンピュータ、パーソナルコンピュータ又はワークステーション等によって構成されており、本車両レンタル支援システムを運用するための車両レンタル支援プログラムが格納された記憶媒体を内部に具備している。この記憶媒体は、ハードディスク、ＣＤ−ＲＯＭ、ＤＶＤ−ＲＯＭ及びフラッシュメモリ等の通常用いられる記憶媒体であり、必要に応じてメインメモリに読み込まれて実行される。
【００１５】
（２）端末２、レンタル業者端末４
端末２及びレンタル業者端末４は、図１に示すように、通信回線３を介してサーバコンピュータ１に接続して、本車両レンタル支援システムを利用するためのＷＷＷブラウザを実行することができる端末である。この端末２、４は、ＷＷＷブラウザが動作可能なパーソナルコンピュータを利用することができる。また、携帯電話及び携帯情報端末（ＰＤＡともいう）等を利用することができる。
端末２、４は、表示情報や入力欄情報等をサーバコンピュータから受信して表示することができ、レンタル利用者やレンタル業者が入力欄情報に沿って入力を行った内容をサーバコンピュータに送信することができる。
【００１６】
（３）通信回線３
通信回線３はその種類を特に問わず、有線や、電波又は赤外線等の無線を用いて両者を直結することで構成される回線の他、インターネット等の通信回線網による回線等、双方で通信を行うことが可能な任意の回線を使用することができる。
また、通信回線の一部又は全てに専用線を用い、本システムを用いることもできる。
【００１７】
２．車両レンタル支援プログラムの構成
本車両レンタル支援プログラム１１は、検索手段１１１、検索通知手段１１２、重機仕様出力手段１１３、新規会員登録手段１１４、空き車両情報登録手段１１５、空き車両データベース１２１、重機仕様データベース１２２、レンタル利用者データベース１２３及びレンタル業者データベース１２４を備える。
また、本車両レンタル支援プログラム１１は、サーバコンピュータ上でＷＷＷサーバとして動作するため、端末２、４上で動作するＷＷＷブラウザを接続することでレンタル利用者が利用することができる。
【００１８】
（１）検索手段１１１
検索手段１１１は、レンタル利用者が入力したレンタル車両の希望条件に該当する該空き車両を、該空き車両データベースから検索し、得られた検索結果一覧をレンタル利用者に出力する。尚、検索結果一覧には、図５に示すように、検索通知手段を動作させるためのボタン６１と、重機仕様出力手段を動作させるためのボタン６２が用意されている。更に、検索通知を行うレンタル業者を選択するためのチェック欄６３が用意されている。
（２）検索通知手段１１２
検索通知手段１１２は、一覧に挙げられた重機を所有するレンタル業者に通知を行うための手段である。本実施例では、図５に示す検索結果一覧のボタン６１を押した時に実行し、チェック欄６３をチェックしたレンタル業者の連絡先をレンタル業者データベース１２４から取得し、図６に示す内容を本文とする電子メールをレンタル業者に送信する。また、電子メールは、インターネットメール及び携帯電話メール等である。
（３）重機仕様出力手段１１３
重機仕様出力手段１１３は、検索結果一覧に表示された重機の仕様をレンタル利用者の端末２に表示させるための手段である。重機仕様出力手段１１３は、図５に示すボタン６２を押した時に実行され、押されたボタン６２に記載された重機の情報を端末２に出力し、図７に示すように表示させる。
【００１９】
（４）新規会員登録手段１１４
新規会員登録手段１１４は、本車両配車支援プログラムを新規に利用するレンタル利用者をレンタル利用者データベース１２３に登録するための手段である。本新規会員登録手段１１４は、レンタル利用者データベース１２３に登録するための図８に示すような入力欄を端末２に出力し、端末２で入力された内容をレンタル利用者データベース１２３に登録する。
【００２０】
（５）空き車両情報登録手段１１５
空き車両情報登録手段１１５は、レンタル業者が最新の空き車両情報を空き車両情報データベース１２１に登録するための手段である。本新規会員登録手段１１４は、空き車両データベース１２１に登録するための図９に示すような入力欄をレンタル業者端末４に出力し、端末４で入力された内容を空き車両データベース１２１に登録する。
【００２１】
（６）空き車両データベース１２１
空き車両データベース１２１は、本車両レンタル支援プログラム及び車両レンタル支援システムによってレンタル利用者に提供することができる空き車両に関する情報を登録するためのデータベースである。
この空き車両情報は、所有レンタル業者名、車両型番、車両メーカ、車両番号、排ガス規制情報、車検登録日、有効車検日、自己賠償責任保険期日、任意賠償責任保険期日、空き情報、最大吊り荷重、クレーン車検期日及び派遣可能情報等の項目を備える。
【００２２】
（７）重機仕様データベース１２２
重機仕様データベース１２２は、重機の仕様を型番別に登録するデータベースである。重機仕様データベース１２２は、重機の仕様として、図７に示すように、メーカ名、型式、最大長、全長、全幅、全高及び吊り荷重等の項目が登録され、重機仕様出力手段１１３によってレンタル利用者の端末２に出力されて、レンタル利用者が参照することができる。
【００２３】
（８）レンタル利用者データベース１２３
レンタル利用者データベース１２３は、本車両配車支援プログラムを利用可能なレンタル利用者を記憶するためのデータベースである。このレンタル利用者データベース１２３は、新規会員登録手段１１４によって新たなレンタル利用者が登録される。また、検索手段１１１がレンタル利用者を認証するために参照される。
【００２４】
（９）レンタル業者データベース１２４
レンタル業者データベース１２４は、空き車両データベース１２１を更新することができるレンタル業者を記憶するためのデータベースであり、該当レンタル業者が空き車両情報登録手段１１５を利用するためのＩＤとパスワード、レンタル業者名及び連絡手段等を備える。
【００２５】
３．車両レンタル支援システムの利用方法
以下、本実施例の車両レンタル支援プログラム及び車両レンタル支援システムの利用方法を説明する。本車両レンタル支援プログラム及び車両レンタル支援システムは、レンタル業者及びレンタル利用者が利用することができ、端末のＷＷＷブラウザを用いて、インターネット等の通信回線を介して本システムのサーバコンピュータ１に接続し、図３に示すように、「（１）検索処理」、「（２）新規会員登録処理」、「（３）空き情報設定処理」を選択して実行することができる。
【００２６】
（１）検索処理
検索処理は、新規会員登録処理で登録されたレンタル利用者が検索手段１１１を用いて空き車両データベース１２１に登録された重機のうち、条件にあったものを検索する処理である。以下、図２に示すフローチャートに沿って説明する。
レンタル可能な重機を必要とするレンタル利用者は、自身の端末２を用いてサーバコンピュータ１の検索手段１１１に接続する。また、レンタル利用者のＩＤとパスワードを送信する（Ｓ１１）。
接続された検索手段１１１は、受信したＩＤとパスワードをレンタル利用者データベース１２３と参照して、検索処理を利用可能なレンタル利用者を判断する（Ｓ１２）。利用できないレンタル利用者であると判断した場合は、利用できない旨を端末２に送信して、検索処理を終了する。
【００２７】
検索処理を利用可能なレンタル利用者であると判断した場合、図４に示すような、検索条件の入力画面を端末２に送信する（Ｓ１３）。次いで、レンタル利用者は、端末２に出力された入力画面の入力欄に検索条件を入力し、検索手段１１１へ送信する（Ｓ１４）。
その後、検索手段１１１は、受信した検索条件に一致する空き車両情報を空き車両データベース１２１から求めて空き車両一覧を作成する（Ｓ１５）。
また、検索手段１１１は、空き車両一覧のそれぞれの空き車両情報に、該当車両のレンタル業者に連絡する送信ボタン６１及びチェック欄６３と、該当車両の重機仕様を参照するために重機仕様出力手段１１３へ接続するためのボタン６２とを加えた、図５に示すような結果画面を作成し、端末２へ送信する（Ｓ１６）。
【００２８】
レンタル利用者は、端末２に送信された結果画面を参照して、レンタルしたい重機を決め、問い合わせをしたい重機のチェック欄６３を選択して、検索通知手段１１２に接続することができる。接続された検索通知手段１１２は、チェック欄６３が選択されている重機を所有するレンタル業者を、レンタル業者データベース１２４から検索し、図６に示すような内容で、検索されたレンタル業者へ電子メールを送信する。電子メールを受信したレンタル業者は、電子メールに記載されたレンタル利用者の連絡先へ連絡したり、問い合わせに備えて資料を用意したりことができる。
また、レンタル利用者は、そのレンタル業者へ電話や電子メール等の手段を用いて連絡を取ることができる。
更に、レンタル利用者は、ボタン６２のハイパーリンクを用いて、重機仕様出力手段１１３に接続し、図７に示すような、車両の重機仕様を参照することができる。
【００２９】
（２）新規会員登録処理
新規会員登録処理は、本システムを用いて重機の利用をするための会員登録を行うための処理である。
始めに、本車両レンタル支援システムを利用したいレンタル利用者が自身の端末２を用いてサーバコンピュータ１の新規会員登録手段１１４に接続する。
新規会員登録手段１１４は、図８に示すように、会員として必要な、会社名、担当者、電話番号、電子メールアドレス、住所等の情報の入力欄を含む入力画面を端末２に出力する。次いで、レンタル利用者は、端末２に出力された入力画面の入力欄に登録情報を入力し、新規会員登録手段１１４へ送信する。
その後、新規会員登録手段１１４は、送信された登録情報を受信して、レンタル利用者データベース１２３に登録し、レンタル利用者が検索手段１１１を使用できるようにする。
【００３０】
（３）空き情報設定処理
空き情報設定処理は、重機のレンタルを行うものが、その重機を本システムのデータベースに登録を行うための処理である。本処理は、クライアントにレンタルを行う重機の登録用入力欄を含むフォームをクライアントに送信する。クライアントでは、入力欄に、所持車両の利用状況を入力する。例えば、図９のように、業者名、電話番号、ファクシミリ番号、住所、郵便番号、重機種類、つり上げ性能、メーカ、製造年、コメント、空いている期間等を入力し、入力結果をサーバに送信する。サーバは、データベースに登録する。
【実施例２】
【００３１】
本実施例２の建設機械レンタル支援システムは、建設機械のレンタル業務を支援するためのシステムであり、図１０に示すように、通信回線３を介して端末２及びレンタル業者端末４、を接続することができるサーバコンピュータ５から構成される。また、図５では、端末２及びレンタル業者端末４はそれぞれ１台のみ接続されているがこれに限られず、それぞれ任意の複数台数を接続することができる。
【００３２】
（１）サーバコンピュータ
サーバコンピュータ５は、車両レンタル支援システムのサーバコンピュータと同様に市販されているコンピュータによって構成されており、本車両レンタル支援システムを運用するための建設機械レンタル支援プログラムが格納された記憶媒体を内部に具備している。
（２）端末２、レンタル業者端末４
端末２及びレンタル業者端末４は、実施例１と同様の端末であり、図１０に示すように、通信回線３を介してサーバコンピュータ１に接続して、本建設機械レンタル支援システムを利用するためのＷＷＷブラウザを実行することができる端末である。
（３）通信回線３
通信回線３は実施例１と同様に、その種類を特に問わない。
【００３３】
２．建設機械レンタル支援プログラムの構成
本建設機械レンタル支援プログラム５１は、検索手段５１１、検索通知手段５１２、建設機械仕様出力手段５１３、新規会員登録手段５１４、空き建設機械情報登録手段５１５、空き建設機械データベース５２１、建設機械仕様データベース５２２、レンタル利用者データベース５２３及びレンタル業者データベース５２４を備える。これら建設機械レンタル支援プログラム５１の各構成要素は、実施例１の車両レンタル支援プログラム１１の各要素において重機を建設機械に置き換えて取り扱うことができるため省略する。
また、本建設機械レンタル支援プログラム５１は、サーバコンピュータ上でＷＷＷサーバとして動作するため、端末２、４上で動作するＷＷＷブラウザを接続することでレンタル利用者が利用することができる。
【００３４】
３．建設機械レンタル支援システムの利用方法
本実施例の建設機械レンタル支援プログラム及び建設機械レンタル支援プログラム５１レンタル支援システムは、レンタル業者及びレンタル利用者が利用することができ、端末のＷＷＷブラウザを用いて、インターネット等の通信回線を介して本システムのサーバコンピュータ１に接続し、「（１）検索処理」、「（２）新規会員登録処理」、「（３）空き情報設定処理」を選択して実行することができる。
尚、（２）新規会員登録処理、（３）空き情報設定処理は、実施例１の車両レンタル支援プログラム１１の同名処理において重機を建設機械に置き換えて取り扱うことができるため省略する。
【００３５】
（１）検索処理
検索処理は、新規会員登録処理で登録されたレンタル利用者が検索手段１１１を用いて空き建設機械データベース５２１に登録された建設機械のうち、条件にあったものを検索する処理である。以下、図１１に示すフローチャートに沿って説明する。
レンタル可能な重機を必要とするレンタル利用者は、自身の端末２を用いてサーバコンピュータ５の検索手段５１１に接続する。また、レンタル利用者のＩＤとパスワードを送信する（Ｓ２１）。
接続された検索手段５１１は、受信したＩＤとパスワードをレンタル利用者データベース５２３と参照して、検索処理を利用可能なレンタル利用者を判断する（Ｓ２２）。利用できないレンタル利用者であると判断した場合は、利用できない旨を端末２に送信して、検索処理を終了する。
【００３６】
検索処理を利用可能なレンタル利用者であると判断した場合、検索条件の入力画面を端末２に送信する（Ｓ２３）。次いで、レンタル利用者は、端末２に出力された入力画面の入力欄に検索条件を入力し、検索手段５１１へ送信する（Ｓ２４）。
その後、検索手段５１１は、受信した検索条件に一致する空き建設機械情報を空き建設機械データベース５２１から求めて空き建設機械一覧を作成する（Ｓ２５）。
また、検索手段５１１は、空き建設機械一覧のそれぞれの空き建設機械情報に、該当建設機械のレンタル業者に連絡する送信ボタン及びチェック欄と、該当建設機械の建設機械仕様を参照するために建設機械仕様出力手段５１３へ接続するためのボタンとを加えた結果画面を作成し、端末２へ送信する（Ｓ２６）。
【００３７】
レンタル利用者は、端末２に送信された結果画面を参照して、レンタルしたい建設機械を決め、問い合わせをしたい建設機械のチェック欄を選択して、検索通知手段５１２に接続することができる。接続された検索通知手段５１２は、チェック欄が選択されている建設機械を所有するレンタル業者を、レンタル業者データベース５２４から検索し、検索されたレンタル業者へ電子メールを送信する。電子メールを受信したレンタル業者は、電子メールに記載されたレンタル利用者の連絡先へ連絡したり、問い合わせに備えて資料を用意したりことができる。
また、レンタル利用者は、そのレンタル業者へ電話や電子メール等の手段を用いて連絡を取ることができる。
更に、レンタル利用者は、ボタンのハイパーリンクを用いて、建設機械仕様出力手段５１３に接続し、建設機械仕様を参照することができる。
【００３８】
尚、本発明においては、上記実施例に限られず、目的、用途に応じて本発明の範囲内で種々変更した実施例とすることができる。即ち、本実施例は、トラッククレーン及びラフタークレーン等の重機の検索を行っているが、これに限られず、トラックや乗用車などのレンタルに用いることができる。
【図面の簡単な説明】
【００３９】
【図１】実施例の車両レンタル支援システムを説明するためのブロック図である。
【図２】実施例の車両レンタル支援システムの検索手段を説明するためのフローチャート図である。
【図３】実施例の車両レンタル支援システムの模式画面図である。
【図４】実施例の車両レンタル支援システムの検索処理を説明するための条件入力の模式画面である。
【図５】実施例の車両レンタル支援システムの検索処理を説明するための検索結果の模式画面である。
【図６】実施例の車両レンタル支援システムの検索処理を説明するための検索結果通知手段によって通知された模式画面である。
【図７】実施例の車両レンタル支援システムの重機仕様を表示した模式画面図である。
【図８】実施例の車両レンタル支援システムの新規会員登録処理を説明するための模式画面である。
【図９】実施例の車両レンタル支援システムの空き情報設定処理を説明するための模式画面である。
【図１０】実施例の建設機械レンタル支援システムを説明するためのブロック図である。
【図１１】実施例の建設機械レンタル支援システムの検索手段を説明するためのフローチャート図である。
【符号の説明】
【００４０】
１、５；サーバコンピュータ、１１；車両レンタル支援プログラム、
１１１；検索手段、１１２；検索通知手段、１１３；重機仕様出力手段、１１４；新規会員登録手段、１１５；空き車両情報登録手段、
１２１；空き車両データベース、１２２；重機仕様データベース、１２３；レンタル利用者データベース、１２４；レンタル業者データベース、
２；端末、３；通信回線（インターネット）、４；レンタル業者端末。
５１；車両レンタル支援プログラム、５１１；検索手段、５１２；検索通知手段、５１３；重機仕様出力手段、５１４；新規会員登録手段、５１５；空き車両情報登録手段、５２１；空き車両データベース、５２２；重機仕様データベース、５２３；レンタル利用者データベース、５２４；レンタル業者データベース。
【図１】
2006011877.tif 000003
【図２】
2006011877.tif 000004
【図３】
2006011877.tif 000005
【図４】
2006011877.tif 000006
【図５】
2006011877.tif 000007
【図６】
2006011877.tif 000008
【図７】
2006011877.tif 000009
【図８】
2006011877.tif 000010
【図９】
2006011877.tif 000011
【図１０】
2006011877.tif 000012
【図１１】
2006011877.tif 000013